(57)【特許請求の範囲】
【請求項１】
無線データを受信するアンテナと、前記アンテナで受信されたデータの周波数の変換処理を行うＲＦ部とを並列に２系統を備えるとともに、前記２系統のＲＦ部に対応して２つのキャリア検出部を備え、
前記２系統のＲＦ部から受信レベルを示す信号（ＲＳＳＩ；Ｒｅｃｅｉｖｅ  ＳｉｇｎａｌＳｔｒｅｎｇｔｈ  Ｉｎｄｉｃａｔｏｒ）を入力してその大小を比較して、受信レベルの高い方を選択し、該選択された信号を出力したＲＦ部に対応するキャリア検出部に対して前記選択された受信レベルを示す信号を供給する比較手段を備え、
前記２系統のＲＦ部のうち前記各キャリア検出部から出力されるキャリアセンス信号に基づき、受信感度の高い方のＲＦ部から出力される受信データ信号を等化器部に供給して前記等化器部を作動させる制御を行う制御手段と、
を備えている、ことを特徴とする無線受信装置。
【請求項２】
前記制御手段が、前記２つのキャリア検出部に対応して設けられ、前記各キャリア検出部からそれぞれ出力されるキャリアセンス信号がアクティブ期間中、前記各キャリア検出部に対応する前記各ＲＦ部からそれぞれ出力される受信データ信号を通過出力させる制御を行う第１、第２の論理回路と、
前記第１、第２の論理回路の出力の論理和出力を、前記等化器部に、受信データ信号として出力する第３の論理回路と、
前記各キャリア検出部から出力されるキャリアセンス信号の論理和出力を、前記等化器部に対して、前記等化器部の動作を制御する信号として出力する第４の論理回路と、
を備えている、ことを特徴とする請求項１記載の無線受信装置。
【請求項３】
前記比較手段が、受信感度の高い方のＲＦ部に対応するキャリア検出部に対して、前記ＲＦ部からの受信レベルを示す信号を供給し、受信感度の低い方のＲＦ部に対応するキャリア検出部には、該キャリア検出部から出力されるキャリアセンス信号をインアクティブとするレベルの信号を供給する、ことを特徴とする請求項１又は２記載の無線受信装置。
【請求項４】
前記等化器部が、前記第３の論理回路からの受信データ信号と、前記第４の論理回路からの信号により、周波数オフセットの検出と、伝送路特性の推定と、タップ係数を行い等化器に必要な初期設定の後に、復調データ信号を出力し受信処理を行う、ことを特徴とする請求項１乃至３のいずれか一に記載の無線受信装置。
【請求項５】
前記各キャリア検出部は、前記各キャリア検出部に共通に入力される復調データ終了信号を受けて、出力するキャリアセンス信号をインアクティブとする、ことを特徴とする請求項１乃至４のいずれか一に記載の無線受信装置。
【請求項６】
送信側からのデータを受信する第１及び第２のアンテナと、
前記第１のアンテナからの受信データの周波数の変換処理を行う第１のＲＦ（Ｒａｄｉｏ  Ｆｒｅｑｕｅｎｃｙ）部と、
前記第２のアンテナからの受信データを周波数の変換処理を行う第２のＲＦ部と、
前記第１のＲＦ部の出力信号の受信感度と前記第２のＲＦ部の出力信号の受信感度の大きさを比較し大きい方の出力信号を選択する比較部と、
前記比較部の出力信号に基づき受信データの開始を検出した際にアクティブ状態の出力信号を出力し、復調データ終了信号を受けて出力信号をインアクティブ状態とする第１及び第２のキャリア検出部と、
前記第１のキャリア検出部の出力信号と前記第２のキャリア検出部の出力信号の論理和演算結果を出力する第１のＯＲ回路部と、
前記第１のＲＦ部の出力信号と前記第１のキャリア検出部の出力信号を入力し、前記第１のキャリア検出部の出力信号がアクティブ期間中に、前記第１のＲＦ部の出力信号を出力する第１のＡＮＤ回路と、
前記第２のＲＦ部の出力信号と前記第２のキャリア検出部の出力信号を入力し、前記第２のキャリア検出部の出力信号がアクティブ期間中に、前記第２のＲＦ部の出力信号を出力する第２のＡＮＤ回路と、
前記第１のＡＮＤ回路の出力信号と前記第２のＡＮＤ回路の出力信号の論理和演算結果を出力する第２のＯＲ回路と、
前記第１のＯＲ回路から出力される受信データ信号を入力し、前記第２のＯＲ回路の出力信号に基づき、前記入力した受信データの等化処理を行う等化器部と、
を備えている、ことを特徴とする無線受信装置。
【請求項７】
無線データを受信するアンテナと、前記アンテナで受信されたデータの周波数の変換処理を行うＲＦ部とを並列に２系統を設け、
さらに、前記２系統のＲＦ部に対応して２つのキャリア検出部を設け、
前記２系統のＲＦ部から受信レベルを示す信号（ＲＳＳＩ；Ｒｅｃｅｉｖｅ  ＳｉｇｎａｌＳｔｒｅｎｇｔｈ  Ｉｎｄｉｃａｔｏｒ）を入力してその大小を比較して受信レベルの高い方を選択し、該選択された信号を出力したＲＦ部に対応するキャリア検出部に対して前記選択された受信レベルを示す信号を供給し、
前記各キャリア検出部から出力されるキャリアセンス信号に基づき、前記２系統のＲＦ部のうち受信感度の高い方のＲＦ部から出力される受信データ信号を等化器部に供給する、ことを特徴とする無線受信装置の高速等化処理方法。
【請求項８】
前記２系統のＲＦ部のうち、受信感度の良い方のＲＦ部から出力される受信データを選択的に前記等化器部に供給して動作させる、ことを特徴とする請求項７記載の無線受信装置の高速等化処理方法。
【請求項９】
前記等化器部では、周波数オフセットの検出と、伝送路特性の推定と、タップ係数の設定を行い等化器に必要な初期設定の後に、復調データ信号を出力し、受信処理を行う、ことを特徴とする請求項７又は８記載の無線受信装置の高速等化処理方法。
【発明の詳細な説明】
【０００１】
【発明の属する技術分野】
本発明は、無線通信システムにおいてマルチパス環境下での高速伝送効率を上げる最短なプリアンブル信号による受信装置に関し、特に、等化処理の高速化技術及び消費電力の低減技術に関する。
【０００２】
【従来の技術】
５．２ＧＨｚ帯域を使用した２０〜３０Ｍｂｐｓ（メガビット／秒：伝送速度の単位）のマルチメディア移動通信である高速無線ＡＴＭ（Ａｓｙｎｃｈｒｏｎｏｕｓ  Ｔｒａｎｓｆｅｒ  Ｍｏｄｅ：非同期転送モード）システムのようなデータ伝送では、マルチパスフェージングによるデータの品質劣化を回避するために、等化機能が用いられており、等化器での高速処理を行うために、最短のプリアンブル信号が使用されている。
【０００３】
この種の従来の技術として、例えば、特開平１１―３０８１５８号公報には、最短のプリアンブルを使用して、位相回転手段を動作させるための周波数オフセット値を求めてから、等化器で使用するタップ係数を設定することができる挟帯域変調方式の無線データ通信端末が提案されている。無線データ通信端末は、ＧＭＳＫ（Ｇａｕｓｓｉａｎ  ｆｉｌｔｅｒｅｄ  ＭＳＫ（Ｍｉｎｉｍｕｍ  Ｓｈｉｆｔ  Ｋｅｙｉｎｇ）；両極性のＮＲＺ符号をガウス型の低域フィルタを通した後、変調指数０．５の位相連続ＦＳＫ変調器に入力し変調を発生するもの）等の挟帯域変調方式で、１フレーム期間のプリアンブル期間中に自動周波数制御回路を動作させるための周波数オフセット値を求め、次に伝送路特性を推定し、等化器に必要なタップ係数を求め、等化器に設定し、受信信号の等化を行うものである。
【０００４】
図４は、最短のプリアンブルを使用して、位相回転手段を動作させるための周波数オフセット値を求めてから、等化器で使用するタップ係数を設定する構成とされた従来の無線受信装置の等化機能の構成の一例を示すブロック図である。
【０００５】
図４を参照すると、この無線受信装置は、アンテナ（８ａ，８ａ′）と、ＲＦ部（９）と、キャリア検出部（１０）と、等化器部（１１）とを備えて構成されており、等化器部（１１）は、メモリ部（１２）と、位相回転部（１３）と、位相差検出回路（１４）と、平均値検出回路（１５）と、積分回路（１６）と、ベクトル変換回路（１７）と、伝送路特性推定部（１８）と、タップ係数設定部（１９）と、等化器（２０）とを備えて構成されている。
【０００６】
基地局からの送信データをアンテナ（８ａ，８ａ′）で受信する。アンテナ（８ａ，８ａ′）からの受信データを受け取ったＲＦ部（９）では、周波数の変換処理を行い、ＲＦ部（９）は、周波数変換した受信データ（直交復調されたＩ、Ｑ信号）を等化器部（１１）へ出力する。ＲＦ部（９）は、ＲＳＳＩ（ＲｅｃｅｉｖｅｄＳｉｇｎａｌ  Ｓｔｒｅｎｇｔｈ  Ｉｎｄｉｃａｔｏｒ：受信レベル）信号（Ｑ）をキャリア検出部（１０）へ出力する。
【０００７】
キャリア検出部（１０）は、ＲＦ部（９）からのＲＳＳＩ信号（Ｑ）により、キャリアの有無を判定し、受信データの開始を検出した場合にアクティブ状態となるキャリアセンス信号（Ｓ）を等化器部（１１）へ出力する。またキャリア検出部（１０）は、当該キャリア検出部（１０）に供給される、復調データを終了させる１パルス信号の復調データ終了信号（Ｒ）を受け取り、等化器部（１１）で復調データの出力を停止するための制御信号をなすキャリアセンス信号（Ｓ）を等化器部（１１）へ出力する。
【０００８】
メモリ部（１２）は、受信データ信号（Ｐ）（不図示のＡ／Ｄ変換部でデジタル信号に変換された、直交復調信号）を、任意の期間取り込み、出力を制御する。
【０００９】
位相回転部（１３）は、メモリ部（１２）からの出力信号の位相を必要な位相分回転させる。位相差検出回路（１４）は、現在の角度と、ＰＮ（Ｐｓｅｕｄｏ  Ｎｏｉｓｅ：疑似雑音）符号系列の一周期後の角度を求め、その差分を求める。
【００１０】
平均値検出回路（１５）は、位相差検出回路（１４）で求められた角度の値を決められた回数分積分し、その回数で割ることにより、１シンボル当たりの平均位相差の平均値（周波数オフセット値）を求める。積算回路（１６）は、平均値検出回路（１５）で求めた周波数オフセット値をシンボル単位で積分する。ベクトル変換回路（１７）は、積分回路（１６）より出力される信号を実数部振幅値と虚数部振幅値に変換して、実数部振幅値と虚数部振幅値とを位相回転部（１３）に出力する。伝送路特性推定部（１８）は、位相回転部（１３）で位相回転した後の信号を用いて、プリアンブル期間にＰＮ符号系列の一周期分の伝送路特性を求める。タップ係数設定部（１９）は、伝送路特性推定部（１８）で求まった伝送路特性より等化器（２０）に必要なタップ係数を求めて等化器（２０）に設定する。等化器（２０）は、タップ係数設定部（１９）より設定されたタップ係数を持つフィルタにより、位相回転部（１３）の出力を等化して、復調データ信号（Ｔ）を出力し、受信処理を行う。
【００１１】
図５は、図４に示した無線受信装置の等化機能処理の動作タイミングの一例を示す図である。情報データ期間の前に位置するプリアンブル信号期間（γ）のアンテナ切り替え選択期間（δ）では、１フレーム毎に、ある一定期間、アンテナ（８ａ）側で積算して、アンテナ（８ａ′）に切り替える。アンテナ切り替え後に、ある一定期間、アンテナ（８ａ′）側で積算する。アンテナ（８ａ）側とアンテナ（８ａ′）側で積算した積算出力値を比較し、受信レベルの高い方のアンテナを選択し、選択されたアンテナに固定して、バースト受信（情報データの受信）を行う。
【００１２】
プリアンブル信号期間（γ）では、キャリア検出部１０でキャリアの有無を判定し、受信データの開始を検出し、復調処理における振幅・位相変動への対処のためのＡＧＣ（Ａｕｔｏｍａｔｉｃ  Ｇａｉｎ  Ｃｏｎｔｒｏｌ：自動利得制御）と自動周波数制御回路（図示されない）によるＡＦＣ（Ａｕｔｏｍａｔｉｃ  Ｆｒｅｑｕｅｎｃｙ  Ｃｏｎｔｒｏｌ：自動周波数制御）を行い、更に、等化器部（１１）において、周波数オフセットの検出と、伝送路特性の推定とタップ係数の設定を行っている。
【００１３】
図６は、図４に示した従来の無線受信装置において、休止区間が長い場合の受信タイミングの一例を示す図である。ＲＦ部（９）から順次受信される受信データ信号（Ｐ）は、各種トレーニングを行うプリアンブル信号と情報データからなる。１フレーム期間において、情報データ期間前に挿入されるプリアンブル期間中には同じＰＮ系列が繰り返して送信される。ＲＦ部（９）からのＲＳＳＩ信号（Ｑ）によりキャリア検出部（１０）でキャリアの有無を判定し、受信データの開始を検出した後（キャリア検出部（１０）から出力されるキャリアセンス信号（Ｓ）がアクティブ状態に変化した後）に、等化器部（１１）で、周波数オフセットの検出と伝送路特性の推定とタップ係数の設定を行う。
【００１４】
この等化器の各種初期設定では、ある一定期間、ＰＮ符号を繰り返すプリアンブル信号を、メモリ部（１２）に蓄えて処理を行っており、その分、遅延が生じる。等化器２０の各種初期設定した後に、復調データ信号（Ｔ）が出力される。図６に示すように、等化器の各種初期設定期間に対応して、等化器部（１１）での遅延が生じており、休止区間が長いために、伝送効率が低下する。
【００１５】
図７は、図４に示した従来の無線受信装置において、休止区間が短い場合の受信タイミングの一例を示す図である。ＲＦ部（９）から順次受信される受信データ信号（Ｐ）は、各種トレーニングを行うプリアンブル信号と情報データからなる。ＲＦ部（９）からのＲＳＳＩ信号（Ｑ）によりキャリアの有無を判定し受信データの開始を検出した後に、等化器部（１１）で周波数オフセットの検出と伝送路特性の推定とタップ係数の設定を行う。この等化器の各種初期設定では、ある一定期間、ＰＮ符号を繰り返すプリアンブル信号をメモリ部（１２）に蓄えて処理を行っているため、最大約２００シンボル分の遅延が生じる。等化器の各種初期設定した後に、復調データ信号（Ｔ）を出力する。
【００１６】
休止区間が遅延よりも、短くキャリアセンス期間（ε）中に次のフレームを受信してしまうと、衝突してしまい、立ち上がりのキャリアセンス信号（ζ）を検出することができない。立ち上がりのキャリアセンス信号（ζ）が未検出とされた１フレーム分の受信データは正常に受信することができず、復調データ信号には１フレーム分の抜けが生じる。
【００１７】
図４に示した従来の受信装置では、プリアンブル信号期間（γ）のアンテナ切り替え選択期間（δ）分、プリアンブル信号が長い為、高速受信することができない。一方、情報データの終端から、次のフレームのプリアンブル期間の開始までの休止期間が短い場合、受信データは正常に受信することができない。
【００１８】
【発明が解決しようとする課題】
図４乃至図６を参照して説明した従来の無線受信装置においては、各種トレーニングを行うプリアンブル信号期間（γ）中に、アンテナ切り替え選択期間（δ）内で、アンテナ（８ａ）側とアンテナ（８ａ′）側で積算した積算出力値を比較して受信レベルの高い方のアンテナを選択し、その後、ＡＧＣとＡＦＣ、更に、等化器に必要な各種初期設定を行っているため、アンテナ切り替え選択期間（δ）分、プリアンブル信号が長くなり、伝送効率が下がる。そして、休止区間が長い場合では、伝送効率が低下してしまう。一方、休止区間が短い場合では、休止区間が遅延より短いく、復調データの処理期間中に次のフレームを受信すると、キャリアセンスを検出することができず、１フレーム置きに受信してしまい、異常受信となるといった問題が生じる。
【００１９】
したがって本発明は、上記問題点に鑑みてなされたものであって、その主たる目的は、等化器の各種初期設定による、遅延を短くする無線受信装置及び高速等化処理方法を提供することにある。
【００２０】
本発明の他の目的は、最短なプリアンブル信号による等化処理を、正常に処理可能とすることで、伝送効率を上げながら、しかも、消費電力の増大を抑止する無線受信装置及び高速等化処理方法を提供することにある。
【００２１】
【課題を解決するための手段】
前記目的を達成する本発明は、無線データを受信するアンテナと、前記アンテナで受信されたデータの周波数の変換処理を行うＲＦ部とを並列に２系統を備えるとともに、前記２系統のＲＦ部に対応して２つのキャリア検出部を備え、前記２系統のＲＦ部から、受信信号の強度（レベル）を示す信号（ＲＳＳＩ）を並列に入力してその大小を比較し、受信感度の高い方のＲＦ部に対応するキャリア検出部を選択して受信信号の強度を示す信号を供給する比較手段を備え、前記２系統のＲＦ部のうち、前記各キャリア検出部から出力されるキャリアセンス信号に基づき、受信感度の高い方のＲＦ部から出力される受信データ信号を等化器部に供給するとともに、等化器部の動作を制御する制御手段とを備える。
【００２２】
本発明は、送信側からのデータを受信する第１のアンテナ及び第２のアンテナと、前記第１のアンテナからの受信データを周波数の変換処理を行う第１のＲＦ部と、前記第２のアンテナからの受信データを周波数の変換処理を行う第２のＲＦ部と、前記第１のＲＦ部の出力信号と前記第２のＲＦ部の出力信号より受信感度の大きさを比較して大きい方の出力信号を動作選択することにより消費電力を低減させる比較部と、前記比較部の出力信号より受信データの開始を検出し、等化器部からの復調データを終了させる第１のキャリア検出部及び第２のキャリア検出部と、前記第１のキャリア検出部及び前記第２のキャリア検出部どちらかの出力信号のみを動作選択する第１のＯＲ回路部と、前記第１のＲＦ部の出力信号と前記第１のキャリア検出部の出力信号によりアクティブ期間中のみ受信データを出力する第１のＡＮＤ回路と、前記第２のＲＦ部の出力信号と前記第２のキャリア検出部の出力信号によりアクティブ期間中のみ受信データを出力する第２のＡＮＤ回路と、前記第１のＡＮＤ回路の出力信号と前記第２のＡＮＤ回路どちらかの出力信号のみを動作選択する第２のＯＲ回路と、前記第１のＯＲ回路の出力信号と前記第２のＯＲ回路の出力信号により等化処理を行う等化器部と、を備え、前記等化器部からの復調データ信号により高速受信処理を行うものである。
【００２３】
【発明の実施の形態】
本発明の実施の形態について説明する。本発明の無線受信装置は、その好ましい一実施の形態において、送信側からのデータを受信する第１及び第２のアンテナ（１ａ，１ｂ）と、第１、第２のアンテナ（１ａ，１ｂ）からの受信データの周波数の変換処理をそれぞれ行う第１、第２のＲＦ部（２ａ，２ｂ）と、第１のＲＦ部の出力信号の受信感度と前記第２のＲＦ部の出力信号の受信感度の大きさを比較し、大きい方の出力信号を選択する比較部（３）と、比較部（３）の出力信号に基づき、受信データの開始を検出し、アクティブ状態の出力信号を出力し、復調データ終了信号を受けて、出力信号をインアクティブ状態とする第１、第２のキャリア検出部（４ａ，４ｂ）と、第１のキャリア検出部（４ａ）と前記第２のキャリア検出部（４ｂ）の出力信号の論理和演算結果を出力する第１のＯＲ回路（５ａ）と、第１のＲＦ部の出力信号（１ａ）と第１のキャリア検出部（４ａ）の出力信号を入力し、第１のキャリア検出部の出力信号がアクティブ期間中に、第１のＲＦ部の出力信号を出力する第１のＡＮＤ回路（６ａ）と、前記第２のＲＦ部の出力信号（１ｂ）と第２のキャリア検出部（４ｂ）の出力信号を入力し、第２のキャリア検出部の出力信号がアクティブ期間中に、第２のＲＦ部の出力信号を出力する第２のＡＮＤ回路（６ｂ）と、第１のＡＮＤ回路（６ａ）と第２のＡＮＤ回路（６ｂ）の出力信号の論理和演算結果を出力する第２のＯＲ回路（５ｂ）と、第１のＯＲ回路（５ａ）から出力される受信データ信号を入力し、第２のＯＲ回路（５ｂ）の出力信号に基づき、入力した受信データの等化処理を行う等化器部（７）と、を備える。
【００２４】
等化器部（７）は、ＯＲ回路（５ｂ）からの受信データ信号（Ｌ）を入力し、ＯＲ回路部（５ａ）からのキャリアセンス信号（Ｈ）に基づき、周波数オフセットの検出と伝送路特性の推定とタップ係数の設定を行い、等化器の該設定後は、復調データ信号（Ｍ）を出力し受信処理を行う。
【００２５】
本発明は、等化機能を用いた無線受信装置において、並列２系統のＲＦ部を設けて等化器の各種初期設定による遅延を短くするものであり、１フレーム毎に、受信感度の良い方のアンテナを選択させ最短なプリアンブル信号による等化処理も正常に処理して伝送効率を上げる。さらに、受信感度の良い方のＲＦ部の出力受信データのみを動作させることにより消費電力を低減することが可能である。
【００２６】
【実施例】
上記した本発明の実施の形態についてさらに詳細に説明すべく、本発明の実施例について図面を参照して説明する。図１は、本発明の一実施例の構成を示すブロック図である。図１を参照すると、本発明の一実施例の装置は、アンテナ（１ａ，１ｂ）と、ＲＦ部（２ａ，２ｂ）と、比較部（３）と、キャリア検出部（４ａ，４ｂ）と、ＯＲ回路（５ａ，５ｂ）と、ＡＮＤ回路（６ａ，６ｂ）と、等化器部（７）と、を備えて構成されている。
【００２７】
基地局からの送信データをアンテナ（１ａ，１ｂ）で受信する。
【００２８】
ＲＦ部（２ａ）は、アンテナ（１ａ）からの受信データを周波数の変換処理を行い、受信データの開始を検出するＲＳＳＩ信号ａ（Ａ）を比較部（３）へ出力する。ＲＦ部（２ｂ）は、アンテナ（１ｂ）からの受信データを周波数の変換処理を行い、受信データの開始を検出するＲＳＳＩ信号ｂ（Ｂ）を比較部（３）へ出力する。
【００２９】
比較部（３）は、ＲＦ部（２ａ）からのＲＳＳＩ信号ａ（Ａ）とＲＦ部（２ｂ）からのＲＳＳＩ信号ｂ（Ｂ）を比較して受信レベルの高い方の信号を選択する。すなわち比較部（３）は、ＲＳＳＩ信号ａ（Ａ）の（α）と、ＲＳＳＩ信号ｂ（Ｂ）の（β）を比較し、（α）が（β）よりも大きいか、等しい場合には、ＲＳＳＩ信号ｃ（Ｃ）（＝ＲＳＳＩ信号ａ（Ａ））を、キャリア検出部（４ａ）へ出力し、ロウレベル信号のＲＳＳＩ信号ｄ（Ｄ）を、キャリア検出部（４ｂ）へ出力する。比較部（３）は、ＲＳＳＩ信号ａ（Ａ）の（α）とＲＳＳＩ信号ｂ（Ｂ）の（β）を比較し（α）が（β）よりも小さい場合には、ＲＳＳＩ信号ｄ（Ｄ）（＝ＲＳＳＩ信号ｂ（Ｂ））をキャリア検出部（４ｂ）へ出力し、ロウレベル信号のＲＳＳＩ信号ｃ（Ｃ）をキャリア検出部（４ａ）へ出力する。
【００３０】
キャリア検出部（４ａ）では、比較部（３）からのＲＳＳＩ信号ｃ（Ｃ）によりキャリアの有無を判定し、受信データの開始を検出した場合に、アクティブ状態（ハイレベル）のキャリアセンス信号ａ（Ｆ）を出力し、復調データを終了させる１パルス信号の復調データ終了信号（Ｅ）を受けて、キャリアセンス信号ａ（Ｆ）をインアクティブ状態とし、キャリアセンス信号ａ（Ｆ）は、ＯＲ回路（５ａ）と、ＡＮＤ回路（６ａ）へ供給される。
【００３１】
キャリア検出部（４ｂ）では、比較部（３）からのＲＳＳＩ信号ｄ（Ｄ）によりキャリアの有無を判定し受信データの開始を検出した場合に、アクティブ状態（ハイレベル）のキャリアセンス信号ｂ（Ｇ）を出力し、復調データを終了させる１パルス信号の復調データ終了信号（Ｅ）を受けて、キャリアセンス信号ｂ（Ｇ）をインアクティブ状態とし、キャリアセンス信号ｂ（Ｇ）は、ＯＲ回路（５ａ）と、ＡＮＤ回路（６ｂ）へ供給される。
【００３２】
ＯＲ回路（５ａ）は、キャリア検出部（４ａ）からのキャリアセンス信号ａ（Ｆ）とキャリア検出部（４ｂ）からのキャリアセンス信号ｂ（Ｇ）の論理和出力をキャリアセンス信号（Ｈ）を選択して等化器部（７）へ出力し、受信感度の良い方のキャリアセンス信号を選択して、等化器部（７）へ出力する。
【００３３】
ＡＮＤ回路（６ａ）は、ＲＦ部（２ａ）からの受信データ信号ａ（Ｊ）と、キャリア検出部（４ａ）からのキャリアセンス信号ａ（Ｆ）を入力し、キャリアセンス信号ａ（Ｆ）がアクティブ期間中のみ、受信データ信号ａを、ＯＲ回路（５ｂ）へ出力する。
【００３４】
ＡＮＤ回路（６ｂ）では、ＲＦ部（２ｂ）からの受信データ信号ｂ（Ｋ）と、キャリア検出部（４ｂ）からのキャリアセンス信号ｂ（Ｇ）とを入力し、キャリアセンス信号ｂ（Ｇ）がアクティブ期間中のみ、受信データ信号ｂをＯＲ回路（５ｂ）へ出力する。
【００３５】
ＯＲ回路（５ｂ）は、ＡＮＤ回路（６ａ）とＡＮＤ回路（６ｂ）の出力を入力し、その論理和出力を、受信データ信号として等化器部（７）に出力する。すなわち、受信感度の良い方の受信データ信号（Ｌ）が選択されて等化器部（７）へ供給される。
【００３６】
等化器部（７）は、ＯＲ回路（５ｂ）からの受信データ信号（Ｌ）と、ＯＲ回路部（５ａ）からのキャリアセンス信号（Ｈ）により、周波数オフセットの検出と、伝送路特性の推定と、タップ係数の設定を行う。等化器の初期設定後は、復調データ信号（Ｍ）を出力し受信処理を行う。この実施例において、等化器部（７）は、例えば図４に示されている等化器部（１１）と同様の構成とされ、メモリ部（１２）と、位相回転部（１３）と、位相差検出回路（１４）と、平均値検出回路（１５）と、積分回路（１６）と、ベクトル変換回路（１７）と、伝送路特性推定部（１８）と、タップ係数設定部（１９）と、等化器（２０）から構成される。各部の動作の詳細は、前述した通りのものであるため、説明は省略する。
【００３７】
図２は、本発明の一実施例の動作タイミングを示す図である。図２に示すように、本発明の一実施例においては、１フレーム期間、常に、アンテナ（１ａ）側のキャリアセンス信号ａ（Ｆ）と、アンテナ（１ｂ）側のキャリアセンス信号ｂ（Ｇ）が出力されている。
【００３８】
１フレーム毎に、アンテナ（１ａ）側と、アンテナ（１ｂ）側で、受信レベルの高い方のアンテナを選択し、選択されたアンテナに固定してバースト受信を行う。
【００３９】
プリアンブル信号期間（γ）では、キャリアの有無を判定し、受信データの開始を検出した後に、復調処理における振幅・位相変動への対処のためのＡＧＣ（Ａｕｔｏｍａｔｉｃ  Ｇａｉｎ  Ｃｏｎｔｒｏｌ：自動利得制御）とＡＦＣ（Ａｕｔｏｍａｔｉｃ  ＦｒｅｑｕｅｎｃｙＣｏｎｔｒｏｌ：自動周波数制御）を行い、更に、等化器部（７）で、周波数オフセットの検出と、伝送路特性の推定と、タップ係数（等化器を構成するトランスバーサルフィルタのフィルタ係数）の設定を行っている。
【００４０】
並列２系統のＲＦ部を用いることで、プリアンブル信号をより短くすることができる。すなわち、図５に示したように、１フレーム毎に、プリアンブル期間のアンテナ切り替え選択期間δにおいて、一方のアンテナ（８ａ）側で一定期間積算して、次に、他方のアンテナ（８ａ′）に切り替え、アンテナ切り替え後に、一定期間アンテナ（８ａ′）側で積算し、これらの積算出力値を比較し、受信レベルの高い方のアンテナを選択し、選択されたアンテナに固定して、バースト受信を行う場合と較べて、アンテナ（１ａ）側とアンテナ（１ｂ）側から並列出力される受信レベルのうち、高い方のアンテナを選択する構成としたおり、プリアンブル期間を短縮している。
【００４１】
図３は、本発明の一実施例の受信タイミングを示す図である。ＯＲ回路（５ｂ）から順次受信される受信データ信号（Ｌ）は、各種トレーニングを行うプリアンブル信号と情報データからなる。プリアンブル信号は、ある一定期間、ＰＮ符号を繰り返し受信する。
【００４２】
キャリアセンス信号（Ｈ）が立ち上がった後に、ＰＮ符号の一周期分の信号で、周波数オフセット値の検出と、伝送路特性の推定とタップ係数の設定を行う。
【００４３】
この等化器の各種初期設定は、等化器部（７）の内部にあるメモリ（図４の１２）に蓄えてから、処理を行っているため、最大約９６シンボル分の遅延が生じる。すなわち、図４に示した従来の構成と較べて、約半分近く遅延が短くなりキャリアセンスを検出することができる。
【００４４】
復調データの終了後と同時に、キャリア検出部（４ａ，４ｂ）は、キャリアセンス信号Ｆ、Ｇをロウレベルとすると、キャリアセンス信号（Ｈ）はインアクティブ（ロウレベル）となる。
【００４５】
比較部（３）において、受信感度の良い方のＲＳＳＩ信号を選択して出力し、受信感度の悪い方のＲＳＳＩ信号は選択せずにロウレベル信号とする。
【００４６】
ＲＦ部（２ａ）とＲＦ部（２ｂ）を並列回路の構成によって、最短なプリアンブル信号による等化処理でも正常に受信処理することができ、また、１フレーム毎に、受信感度の良い方のアンテナ（１ａ）とアンテナ（１ｂ）を切り替え選択させて、等化器の各種初期設定による遅れが生じた場合でも、正常に受信処理することができる。
【００４７】
本発明の一実施例においては、２系統のＲＦ部（２ａ）とＲＦ部（２ｂ）のうち、受信感度の良い方のＲＦ部の出力受信データを選択的に動作（活性化）させる構成としたことにより、消費電力を低減することができる。
【００４８】
【発明の効果】
以上説明したように、本発明によれば、並列２系統のＲＦ部を設けることで、等化器の各種初期設定による遅延を短くする、という効果を奏する。
【００４９】
また本発明によれば、１フレーム毎に、受信感度の良い方のアンテナを選択させ、最短なプリアンブル信号による等化処理も、正常に処理して、伝送効率を上げることができる、という効果を奏する。
【００５０】
さらに本発明によれば、受信感度の良い方のＲＦ部の出力受信データのみを選択的に動作させることにより、消費電力を低減することができる、という効果を奏する。
【図面の簡単な説明】
【図１】本発明を一実施例の構成を示す図である。
【図２】本発明の一実施例の動作タイミングを説明するための図である。
【図３】本発明を一実施例の受信タイミングを説明するための図である。
【図４】従来の無線受信装置の等化処理を説明するための図である。
【図５】従来の無線受信装置の等化処理の動作タイミングを説明するための図である。
【図６】従来の無線受信装置において休止区間が長い場合の受信タイミングを示す図である。
【図７】従来の無線受信装置において休止区間が短い場合の受信タイミングを示す図である。
【符号の説明】
１ａ  アンテナ
１ｂ  アンテナ
２ａ  ＲＦ部
２ｂ  ＲＦ部
３    比較部
４ａ  キャリア検出部
４ｂ  キャリア検出部
５ａ  ＯＲ回路
５ｂ  ＯＲ回路
６ａ  ＡＮＤ回路
６ｂ  ＡＮＤ回路
７    等化器部
８ａ  アンテナ
８ａ′  アンテナ
９    ＲＦ部
１０  キャリア検出部
１１  等化器部
１２  メモリ部
１３  位相回転部
１４  位相差検出回路
１５  平均値検出回路
１６  積分回転部
１７  ベクトル変換回路
１８  伝送路特性推定部
１９  タップ係数設定部
２０  等化器
Ａ    ＲＳＳＩ信号ａ
Ｂ    ＲＳＳＩ信号ｂ
Ｃ    ＲＳＳＩ信号ｃ
Ｄ    ＲＳＳＩ信号ｄ
Ｅ    復調データ終了信号
Ｆ    キャリアセンス信号ａ
Ｇ    キャリアセンス信号ｂ
Ｊ    受信データ信号ａ
Ｋ    受信データ信号ｂ
Ｌ    受信データ信号
Ｍ    復調データ信号
Ｑ    ＲＳＳＩ信号
Ｐ    受信データ信号
Ｒ    復調データ終了信号
Ｓ    キャリアセンス信号
Ｔ    復調データ信号
γ    プリアンブル信号期間
δ    アンテナ切り替え選択期間
ε    キャリアセンス期間
ζ    立ち上がりキャリアセンス信号
【図１】
0003546833.tif 000002
【図２】
0003546833.tif 000003
【図３】
0003546833.tif 000004
【図４】
0003546833.tif 000005
【図５】
0003546833.tif 000006
【図６】
0003546833.tif 000007
【図７】
0003546833.tif 000008